(57)【要約】【課題】従来よりも静電気除去効果の高い無線通信回路を提供する。【解決手段】アンテナ１からフィルタ４までの信号路に含まれる導電パターン１０と、導電パターン１０から静電気を逃すための静電気逃し回路Ｄ１、Ｄ２、６、２５、２６とを備え、導電パターン１０は、第１ライン１１と、第１ライン１１とは直接繋がらずに第１ラインに対して平行に伸びる第２ライン１２と、第１ライン１１と第２ライン１２との間に介在して第１ライン１１と第２ライン１２とを繋ぐ中間ライン１３と、を有し、中間ライン１３は、第１ライン１１の端部から第１ライン１１に交差する方向に伸び、その後曲がって第２ライン１２の端部に繋がる形状となっており、静電気逃し回路は、中間ライン１３の近傍に配置され、中間ライン１３から静電気を逃がすように構成されている。【選択図】図２
2014207562.tif 000002
【特許請求の範囲】
【請求項１】
アンテナ（１）からフィルタ（４）までの信号路に含まれる導電パターン（１０）と、
前記導電パターンから静電気を逃すための静電気逃し回路（Ｄ１、Ｄ２、６、２５、２６）とを備え、
前記導電パターンは、
第１ライン（１１）と、
前記第１ラインとは直接繋がらずに前記第１ラインに対して平行に伸びる第２ライン（１２）と、
前記第１ラインと前記第２ラインとの間に介在して前記第１ラインと前記第２ラインとを繋ぐ中間ライン（１３、１３’）と、を有し、
前記中間ラインは、前記第１ラインの端部から前記第１ラインに交差する方向に伸び、その後曲がって前記第２ラインの端部に繋がる形状となっており、
前記静電気逃し回路は、前記中間ラインの近傍に配置され、前記中間ラインから静電気を逃がすように構成されていることを特徴とする無線通信回路。
【請求項２】
前記静電気逃し回路は、前記第１ラインから前記中間ラインが伸びる方向と直交しない方向（４１、４２）に、静電気を逃がすように構成されていることを特徴とする請求項１に記載の無線通信回路。
【請求項３】
前記静電気逃し回路は、前記中間ラインのうち、前記第１ライン、前記第２ライン、および、前記第１ラインと前記第２ラインとを繋ぐ直線の仮想ラインが形成する基準ラインから最も離れた部分から、静電気を逃がすように構成されていることを特徴とする請求項１または２に記載の無線通信回路。
【発明の詳細な説明】
【技術分野】
【０００１】
本発明は、無線通信回路に関するものである。
【背景技術】
【０００２】
従来から、無線通信回路において、静電気による部品破壊の影響を抑えたいという要請がある。このため、図３に示すように、静電気に対して弱い部品または直接静電気がかかってしまう配置にある部品（例えばフィルタ４）に対しては、静電気対策用のダイオードＤ０を挿入して、静電気に対する耐力を向上させている（例えば、特許文献１参照）。
【先行技術文献】
【特許文献】
【０００３】
【特許文献１】特開２００２−２３２０９２号公報
【発明の概要】
【発明が解決しようとする課題】
【０００４】
しかし、しかし静電気は直進性が強いので、図３のような構成では、静電気の多くは導電パターン９０に沿ってＳＡＷフィルタ４まで進んでしまい、ランド２５からランド２６および接地パターン６に逃げる静電気の量は少なかった。
【０００５】
本発明は上記点に鑑み、従来よりも静電気除去効果の高い無線通信回路を提供することを目的とする。
【課題を解決するための手段】
【０００６】
上記目的を達成するための請求項１に記載の発明は、アンテナ（１）からフィルタ（４）までの信号路に含まれる導電パターン（１０）と、前記導電パターンから静電気を逃すための静電気逃し回路（Ｄ１、Ｄ２、６、２５、２６）とを備え、前記導電パターンは、
第１ライン（１１）と、前記第１ラインとは直接繋がらずに前記第１ラインに対して平行に伸びる第２ライン（１２）と、前記第１ラインと前記第２ラインとの間に介在して前記第１ラインと前記第２ラインとを繋ぐ中間ライン（１３、１３’）と、を有し、前記中間ラインは、前記第１ラインの端部から前記第１ラインに交差する方向に伸び、その後曲がって前記第２ラインの端部に繋がる形状となっており、静電気逃し回路は、前記中間ラインの近傍に配置され、前記中間ラインから静電気を逃がすように構成されていることを特徴とする無線通信回路である。
【０００７】
このように、第１ラインと第２ラインが、直接真っ直ぐに繋がっていないので、静電気の直進性によって第１ラインから第２ラインに真っ直ぐ移動する静電気の量は少なくなる。
【０００８】
また、中間ラインは、第１ラインに対して交差して伸び、更に曲がっている。したがって、従来は、静電気の直進性が、導電パターンに沿った静電気の移動を強く促進していたのに対し、本実施形態では、静電気の直進性が、中間ラインに沿った静電気の移動を、従来ほどは促進しない。
【０００９】
したがって、従来よりも、中間ラインから逃げる静電気の割合が増加し、静電気除去効果が高まる。
【００１０】
なお、上記および特許請求の範囲における括弧内の符号は、特許請求の範囲に記載された用語と後述の実施形態に記載される当該用語を例示する具体物等との対応関係を示すものである。
【図面の簡単な説明】
【００１１】
【図１】本発明の実施形態に係る通信回路の一部の回路図である。
【図２】第１実施形態に係る無線通信回路の一部の構成および配置図である。
【図３】従来の無線通信回路の一部の構成および配置図である。
【図４】第２実施形態に係る無線通信回路の一部の構成および配置図である。
【図５】変形例１に係る無線通信回路の一部の構成および配置図である。
【発明を実施するための形態】
【００１２】
（第１実施形態）
以下、本発明の一実施形態について説明する。図１に示すように、本発明に係る無線通信回路は、回路基板（図示せず）上に構成され、無線受信用のアンテナ１が接続されるアンテナ端子２と、アンテナ端子２に繋がるコンデンサ３と、コンデンサ３に繋がるＳＡＷフィルタ４と、フロントエンド部５等を備えている。
【００１３】
アンテナ１で受信された信号は、アンテナ端子２から無線通信回路に供給され、コンデンサ３で直流成分が除去され、更にＳＡＷフィルタ４で不要な帯域の信号が除去されて受信帯域の信号が抽出され、フロントエンド部５に供給される。フロントエンド部５では、供給された信号に対して増幅および周波数変換等の受信処理が施される。フロントエンド部５で受信処理が施された後の信号は、図示しない制御部等に入力される。
【００１４】
また、この無線通信回路は、アンテナ端子２からコンデンサ３までの信号経路上に対し、２つのダイオードＤ１、Ｄ２の各一端が、互いに逆方向に接続され、これらダイオードＤ１、Ｄ２の各他端が、グラウンド６に接続されている。これらダイオードＤ１、Ｄ２およびグラウンド６は、アンテナ１を介してアンテナ端子２からコンデンサ３、ＳＡＷフィルタ４方向に入力される静電気を逃がすための、静電気逃し回路である。
【００１５】
図２に、本実施形態における無線通信回路の回路基板上の構成および配置例を示す。この図に示すように、回路基板上には、アンテナ１からフィルタ４までの信号路の要素として、アンテナ端子２、基本導電パターン１０、ランド２１、ランド２２、追加導電パターン２３、ランド２４が配線されている。また、回路基板上には、ランド２５、ランド２６および接地パターン６も配線されている。
【００１６】
基本導電パターン１０は、一端がアンテナ端子２に繋がっており、他端がランド２１に繋がっており、アンテナ端子２側端部からランド２１側端部まで線状に伸びている。このランド２１からコンデンサ３およびＳＡＷフィルタ４までの直線距離は、アンテナ端子２からコンデンサ３およびＳＡＷフィルタ４までの直線距離よりも短い。
【００１７】
ランド２２は、ランド２１の近傍に配置され、ランド２１およびランド２２に接続するようにコンデンサ３が半田付け実装されている。追加導電パターンは、一端がランド２２に繋がっており、他端がランド２３に繋がっており、ランド２２側端部からランド２３側端部まで直線状に伸びている。
【００１８】
そして、ランド２４に接続するように、ＳＡＷフィルタ４が半田付け実装されている。ＳＡＷフィルタ４からフロントエンド部５までの回路およびそれ以降の回路の配置については図示を省略する。
【００１９】
ここで、基本導電パターン１０の配置について、更に詳しく説明する。基本導電パターンは、第１ライン１１、第２ライン１２、および中間ライン１３という３つの線状の導電パターンを有している。
【００２０】
第１ライン１１は、一端がアンテナ端子２に繋がっており、アンテナ端子２からランド２１の方向に、一直線に伸びている。第２ライン１２は、一端がランド２１に繋がっており、ランド２１からアンテナ端子２の方向に、一直線に伸びている。したがって、第１ライン１１と第２ライン１２とは、平行であり、かつ、ランド２１からアンテナ端子２の方向に一直線に並んでいる。
【００２１】
仮に、第１ライン１１の第２ライン１２側端と第２ライン１２の第１ライン１１側端を直線の仮想ラインで繋ぐと、第１ライン１１、仮想ライン、および第２ライン１２が、全体として一直線になる。
【００２２】
中間ライン１３は、第１ライン１１の第２ライン１２側端と第２ライン１２の第１ライン１１側端との間に介在して、第１ライン１１と第２ライン１２とを繋ぐ。この中間ライン１３は、図２に示すように蛇行した形状になっている。
【００２３】
具体的には、中間ライン１３は、第１ライン１１の端部から第１ライン１１に直角に交差する方向に伸び、その後、２回直角に曲がり、その後、第２ライン１２の端部に繋がる略Ｕ字形状となっている。
【００２４】
より具体的には、中間ライン１３は、第１サブ中間ライン１４、第２サブ中間ライン１５、および第３サブ中間ライン１６を有している。そして、第１サブ中間ライン１４は、第１ライン１１の端部から、第１ライン１１に直角に交差する方向に直線的に伸びている。また、第２サブ中間ライン１５は、第１サブ中間ライン１４の端部から、第１サブ中間ライン１４に直角に交差する方向に直線的に伸びている。また、第３サブ中間ライン１６は、第２サブ中間ライン１５の端部から、第２サブ中間ライン１５に直角に交差する方向に直線的に伸び、第２ライン１２に直角に交差しながら、第２ライン１２の端部に繋がっている。
【００２５】
この結果、中間ライン１３は、第１ライン１１、仮想ライン、および第２ライン１２が全体として形成するライン（以下、基準ラインという）に対して、横方向に突出した形状（経路）となっている。
【００２６】
そして、この中間ライン１３には、基本導電パターン１０から静電気を逃がすためのランド２５が繋がっている。具体的には、ランド２５は、中間ライン１３のうち、第２サブ中間ライン１５に繋がっている。第２サブ中間ライン１５は、中間ライン１３のうち、基準ラインに対して最も突出した部分、すなわち基準ラインから最も離れた部分であるが、その第２サブ中間ライン１５においても、基準ラインから最も離れた辺に、ランド２５は接続されている。
【００２７】
接地パターン６の、ランド２５に対向する位置には、ランド２５に近接させて、ランド２６が繋がっている。そして、ダイオードＤ１、Ｄ２が組み込まれたダイオードモジュールＤ０が、一端でランド２５に半田付けされ、他端でランド２６に半田付けされる。これにより、図１中のダイオードＤ１、Ｄ２の電気的接続関係が実現する。
【００２８】
なお、ランド２５、２６、ダイオードＤ１、Ｄ２、および接地パターン６が、基本導電パターン１０から外に静電気を逃すための静電気逃し回路を構成する。
【００２９】
以上のような構成の無線通信回路の作動について、以下説明する。アンテナ１が無線信号を受信すると、その無線信号に応じた信号（高周波信号）がアンテナ１からアンテナ端子２を介して無線通信回路に入力される。そして、この入力された信号は、基本導電パターン１０を通ってランド２１からコンデンサ３に入力される。コンデンサ３では、入力された信号の直流成分が除去され、除去後の信号がランド２２、追加導電パターン２３、ランド２４を介してＳＡＷフィルタ４に入力される。ＳＡＷフィルタ４は、入力された信号から不要な帯域の信号を除去し、除去後の信号が、フロントエンド部５に入力される。フロントエンド部５では、入力された信号に対して上記のような増幅および周波数変換等の受信処理が施し、受信処理後の信号が、図示しない制御部等に入力される。
【００３０】
ここで、無線通信回路の作動中に、アンテナ１を介してアンテナ端子２から無線通信回路内に静電気が入力されてしまった場合について説明する。
【００３１】
この場合、静電気は、アンテナ端子２から導電パターン１０に沿って進み、第１ライン１１を通って中間ライン１３に入り、中間ライン１３においては、第１サブ中間ライン１４に沿って、直角に曲がる。更に静電気は、第１サブ中間ライン１４から第２サブ中間ライン１５に入り、第２サブ中間ライン１５からランド２５に入り、ダイオードモジュールＤ０中のダイオードＤ１、Ｄ２を介して、ランド２５からランド２６に流れる。そして静電気は、ランド２６から接地パターン６に逃げる。
【００３２】
ここで、本実施形態において静電気の逃がし効果が従来よりも高いことについて説明する。従来技術として、図３に示すように、アンテナ端子２とランド２１（ＳＡＷフィルタ４とを接続する導電パターン９０が直線的に配置され、ランド２１とＳＡＷフィルタ４とが接続されている例を挙げる。図３と図１で同じ構成の部品には、同じ符号を付している。
【００３３】
このような場合、従来は、導電パターン９０に繋がったランド２５と、接地パターン６に繋がったランド２６とに、ダイオードモジュールＤ０を接続することで、ランド２５からランド２６および接地パターン６に静電気を逃がしていた。しかし、静電気は直進性が高いため、このような方法では、静電気の多くは導電パターン９０に沿ってＳＡＷフィルタ４まで進んでしまい、ランド２５からランド２６および接地パターン６に逃げる静電気の量は少なかった。
【００３４】
これに対し、図２に示したような本実施形態の構成では、中間ライン１３が、第１ライン１１の端部から第１ライン１１に交差する方向に伸び、その後曲がって第２ライン１２の端部に繋がる形状となっている。そして、ランド２５は、中間ライン１３の近傍に配置されている。
【００３５】
このように、互いに一直線の関係にある第１ライン１１と第２ライン１２が、直接真っ直ぐに繋がっていないので、静電気の直進性によって第１ライン１１から第２ライン１２に真っ直ぐ移動する静電気の量は少なくなる。
【００３６】
また、中間ライン１３は、第１ライン１１に対して交差して伸び、更に曲がっている。したがって、従来は、静電気の直進性が、導電パターン９０に沿った静電気の移動を強く促進していたのに対し、本実施形態では、静電気の直進性が、中間ライン１３に沿った静電気の移動を、従来ほどは促進しない。
【００３７】
したがって、従来よりも、中間ライン１３から、ランド２５、ダイオードＤ１、Ｄ２、ランド２６を介して接地パターン６に逃げる静電気の割合が増加し、静電気除去効果が高まる。
【００３８】
その上、中間ライン１３上の第２サブ中間ライン１５からランド２５への方向は、第１ライン１１から中間ライン１３が伸びる方向（すなわち、第１サブ中間ライン１４が伸びる方向）と平行になっている。そして、静電気が中間ライン１３からランド２５へ逃れるときの静電気の移動方向は、図２の矢印４１のように、第１ライン１１から第１サブ中間ライン１４が伸びる方向に対して直交せず斜めになっている。したがって、静電気の直進性を利用して、より多くの割合の静電気を、静電気逃し回路２５、Ｄ１、Ｄ２、２６、６に流すことができる。
【００３９】
また、中間ライン１３は、基準ラインに対して突出した形状となっており、ランド２５は、中間ライン１３のうち、上述の基準ラインから最も離れた部分に繋がっている。つまり、静電気逃し回路２５、Ｄ１、Ｄ２、２６、６は、基準ラインから最も離れた部分から、静電気を逃がす。したがって、第１ライン１１における静電気の直進性の影響が最も少ない箇所から、静電気を逃がすことができるので、静電気除去効果が高まる。
【００４０】
このように、本実施形態では、通常ならば真っ直ぐのばすべき基本導電パターン１０の一部（中間ライン１３）を敢えて曲げて蛇行させることで、静電気の特性を十分に考慮した上での効率の良いアートワーク（部品配置）を実現している。これにより、静電気に対する信頼性の向上および大きなコスト削減の効果も得られる。
【００４１】
なお、図３に示したような従来技術に対して、ダイオードＤ１、Ｄ２の効果を出すために、ダイオードＤ１、Ｄ２を更にもう一対追加して、ダイオードＤ１、Ｄ２の組を２組並列に挿入をして部品破壊を防ぐという方法もある。しかしこのような追加素子が発生することにより、無線通信回路の製造コストが大幅に上昇してしまったり、アートワークの自由度がなくなってしまったりすることになる。
【００４２】
また、本実施形態では、長さは短いものの真っ直ぐ伸びている第２サブ中間ライン１５から、第２サブ中間ライン１５の伸びる方向に対して直交する方向に、ランド２５が伸びている。したがって、例えば、中間ライン１３において２本のサブ中間ラインが鋭角等の角度で交差している箇所からランド２５が伸びているような場合に比べ、ランド２５の配線が容易である。
【００４３】
（第２実施形態）
次に、本発明の第２実施形態について、第１実施形態と異なる部分を中心に説明する。本実施形態の無線通信回路が構成上で第１実施形態と異なるのは、第１実施形態の無線通信回路の中間ライン１３が、図４に示す中間ライン１３’に置き換えられた点のみである。
【００４４】
中間ライン１３’は、第１ライン１１の第２ライン１２側端と第２ライン１２の第１ライン１１側端との間に介在して、第１ライン１１と第２ライン１２とを繋ぐ。この中間ライン１３’は、図４に示すように蛇行した形状になっている。
【００４５】
具体的には、中間ライン１３は、第１ライン１１の端部から第１ライン１１に斜めに交差する方向に伸び、その後、１回曲がり、その後、第２ライン１２の端部に繋がる略Ｖ字形状となっている。
【００４６】
より具体的には、中間ライン１３’は、第１サブ中間ライン１７および第２サブ中間ライン１８を有している。そして、第１サブ中間ライン１７は、第１ライン１１の端部から、第１ライン１１に斜めに交差する方向に直線的に伸びている。また、第２サブ中間ライン１は、第１サブ中間ライン１７の端部から、第１サブ中間ライン１７に斜めに交差する方向に直線的に伸び、第２ライン１２に斜めに交差しながら、第２ライン１２の端部に繋がっている。
【００４７】
この結果、中間ライン１３’は、第１ライン１１、仮想ライン、および第２ライン１２が全体として形成する基準ラインに対して、横方向に突出した形状（経路）となっている。
【００４８】
そして、この中間ライン１３’には、基本導電パターン１０から静電気を逃がすためのランド２５が繋がっている。具体的には、ランド２５は、中間ライン１３のうち、第１サブ中間ライン１７と第２サブ中間ライン１８の接続部分に繋がっている。つまり、ランド２５は、中間ライン１３’のうち、基準ラインに対して最も突出した部分、すなわち基準ラインから最も離れた部分に、ランド２５は接続されている。
【００４９】
ここで、無線通信回路の作動中に、アンテナ１を介してアンテナ端子２から無線通信回路内に静電気が入力されてしまった場合について説明する。
【００５０】
この場合、静電気は、アンテナ端子２から導電パターン１０に沿って進み、第１ライン１１を通って中間ライン１３’に入り、中間ライン１３’においては、第１サブ中間ライン１７に沿って、直角に曲がる。更に静電気は、第１サブ中間ライン１７と第２サブ中間ライン１８の接続部分から、ランド２５に入り、ダイオードモジュールＤ０中のダイオードＤ１、Ｄ２を介して、ランド２５からランド２６に流れる。そして静電気は、ランド２６から接地パターン６に逃げる。
【００５１】
図４に示したような本実施形態の構成では、中間ライン１３’が、第１ライン１１の端部から第１ライン１１に交差する方向に伸び、その後曲がって第２ライン１２の端部に繋がる形状となっており、ランド２５は、中間ライン１３’の近傍に配置されている。
【００５２】
このように、互いに一直線の関係にある第１ライン１１と第２ライン１２が、直接真っ直ぐに繋がっていないので、静電気の直進性によって第１ライン１１から第２ライン１２に真っ直ぐ移動する静電気の量は少なくなる。
【００５３】
また、中間ライン１３’は、第１ライン１１に対して交差して伸び、更に曲がっている。したがって、従来は、静電気の直進性が、導電パターン９０に沿った静電気の移動を強く促進していたのに対し、本実施形態では、静電気の直進性が、中間ライン１３に沿った静電気の移動を、従来ほどは促進しない。
【００５４】
したがって、従来よりも、中間ライン１３’から、ランド２５、ダイオードＤ１、Ｄ２、ランド２６を介して接地パターン６に逃げる静電気の割合が増加し、静電気除去効果が高まる。
【００５５】
その上、中間ライン１３’上の第２サブ中間ライン１５からランド２５への方向は、第１ライン１１から中間ライン１３’が伸びる方向（すなわち、第１サブ中間ライン１７が伸びる方向）と平行になっている。そして、静電気が中間ライン１３’からランド２５へ逃れるときの静電気の移動方向は、図４の矢印４２のように、第１ライン１１から第１サブ中間ライン１７が伸びる方向に対して直交せず平行になっている。したがって、静電気の直進性を利用して、特に多くの割合の静電気を、静電気逃し回路２５、Ｄ１、Ｄ２、２６、６に流すことができる。
【００５６】
また、中間ライン１３’は、基準ラインに対して突出した形状となっており、ランド２５は、中間ライン１３’のうち、上述の基準ラインから最も離れた部分に繋がっている。つまり、静電気逃し回路２５、Ｄ１、Ｄ２、２６、６は、基準ラインから最も離れた部分から、静電気を逃がす。したがって、第１ライン１１における静電気の直進性の影響が最も少ない箇所から、静電気を逃がすことができるので、静電気除去効果が高まる。
【００５７】
（他の実施形態）
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００５８】
（変形例１）
例えば、上記第１、第２実施形態において、第１ライン１１から接地パターン６に繋がる抵抗を設けるようになっていてもよい。図５は、第１実施形態に対して第１ライン１１から接地パターン６に繋がる抵抗Ｒを追加した例を表している。このように、ダイオードＤ１、Ｄ２の前にロスを発生させない程度の抵抗を挿入することで、静電気の対策効果を高めてもよい。このように抵抗を挿入することにより、ダイオードＤ１、Ｄ２に要求される性能を低くすることができる。
【００５９】
（変形例２）
上記第１、第２実施形態では、基本導電パターン１０はコンデンサ３を介しＳＡＷフィルタ４に接続されるようになっている。しかし、必ずしもこのようになっておらずともよい。例えば、第１、第２実施形態に対して、コンデンサ３、ランド２２、追加導電パターン２３、ランド２４を廃して、ＳＡＷフィルタ４をランド２１に繋げるように配置してもよい。
【００６０】
（変形例３）
また、上記第１、第２実施形態において、ダイオードＤ１、Ｄ２に代えて、ランド２５とランド２６に繋がる抵抗を用いてもよい。また、ダイオードＤ１、Ｄ２に代えて、ランド２５とランド２６の間にコンデンサを配置してもよい。また、ダイオードＤ１、Ｄ２を廃して、ランド２５とランド２６を接触しない程度に近接させるようになっていてもよい。これらいずれの場合も、ランド２５からランド２６へ静電気を逃がすことができる。
【符号の説明】
【００６１】
１                アンテナ
４                フィルタ
６                接地パターン
１０              導電パターン
１１              第１ライン
１２              第２ライン
１３、１３’      中間ライン
４１、４２        静電気を逃がす方向
【図１】
2014207562.tif 000003
【図２】
2014207562.tif 000004
【図３】
2014207562.tif 000005
【図４】
2014207562.tif 000006
【図５】
2014207562.tif 000007